(57)【要約】【課題】両面に磁気ストライプが形成された磁気情報記録媒体であって、その厚さ方向から見たときに、異なる記録密度の磁気データが記録されるトラックが表裏で重なる位置に配置されている磁気情報記録媒体の表裏の磁気データを、比較的簡易な構成で、復調し、復号することが可能な磁気情報読取装置を提供する。【解決手段】この磁気情報読取装置では、制御回路６３は、磁気ヘッド５５のチャンネル５５ｂに並列に接続される２個の処理回路７２、７３と、処理回路７２、７３が接続される演算回路６４とを備え、処理回路７２、７３は、復調用信号生成回路６８を備えている。演算回路６４は、２個の復調用信号生成回路６８から入力される復調用信号に基づいて、復調データと復号データとを生成し、２個の復調用信号生成回路６８のうちのどちらの復調用信号生成回路６８から入力される信号に基づく復号データが有効であるかを判別する。【選択図】図１３
2014063562.tif 000002
【特許請求の範囲】
【請求項１】
磁気情報記録媒体に形成される磁気ストライプに記録された磁気データの読取が可能な磁気ヘッドと、前記磁気ヘッドで読み取られた磁気データを復調し、復号するための制御回路とを備え、
前記磁気ヘッドは、磁気データの読取が可能な１個以上のチャンネルを備え、
前記制御回路は、１つの前記チャンネルに並列に接続されるとともに２１０ｂｐｉ（ｂｉｔ  ｐｅｒ  ｉｎｃｈ）の磁気データを処理するための処理回路および７５ｂｐｉの磁気データを処理するための処理回路の２個の前記処理回路と、２個の前記処理回路の出力側が直接または所定の回路を介して接続される演算回路とを備え、
前記処理回路は、前記チャンネルからの出力信号を増幅する増幅回路と、前記増幅回路からの出力信号の所定の周波数成分を除去するフィルタ回路と、前記フィルタ回路からの出力信号を微分する微分回路と、前記微分回路からの出力信号に基づいて磁気データ復調用の矩形波状の復調用信号を生成する復調用信号生成回路とを備え、
前記演算回路は、２個の前記復調用信号生成回路から入力される前記復調用信号に基づいて、復調データと復号データとを生成するとともに、２個の前記復調用信号生成回路のうちのどちらの前記復調用信号生成回路から入力される信号に基づく復号データが有効であるかを判別することを特徴とする磁気情報読取装置。
【請求項２】
前記磁気情報記録媒体の表面と裏面とのそれぞれに前記磁気ストライプが形成され、
前記磁気ストライプは、前記磁気情報読取装置への前記磁気情報記録媒体の挿入方向に略平行な前記磁気情報記録媒体の長手方向に沿って形成され、
前記磁気情報記録媒体の裏面に形成される前記磁気ストライプには、第１トラック、第２トラックおよび第３トラックの３つのトラックの磁気データが記録され、
前記第１トラックには、２１０ｂｐｉの磁気データが記録され、前記第２トラックには、７５ｂｐｉの磁気データが記録され、前記第３トラックには、２１０ｂｐｉの磁気データが記録され、
前記第１トラック、前記第２トラックおよび前記第３トラックは、前記磁気情報記録媒体の長手方向に略直交する前記磁気情報記録媒体の短手方向の一端部側からこの順番で配置され、
前記磁気情報記録媒体の表面に形成される前記磁気ストライプには、第４トラックの１つのトラックの磁気データが記録され、
前記第４トラックには、２１０ｂｐｉの磁気データが記録され、
前記磁気情報記録媒体の厚さ方向から見たときに、前記第４トラックの少なくとも一部が前記第２トラックに重なっていることを特徴とする請求項１記載の磁気情報読取装置。
【請求項３】
前記磁気ヘッドと対向するように配置され、前記磁気情報記録媒体の画像を取得する画像読取手段を備えることを特徴とする請求項２記載の磁気情報読取装置。
【発明の詳細な説明】
【技術分野】
【０００１】
本発明は、磁気情報記録媒体に記録された磁気データを読み取るための磁気情報読取装置に関する。
【背景技術】
【０００２】
磁気ストライプを有する磁気カードの記録様式は、国際規格やＪＩＳ規格によって規定されている。この規格に適合する磁気カードとして、図４に示すように、裏面２ａと表面２ｂとの両面に磁気ストライプ２ｃ、２ｄが形成されるカード２が日本国内で広く流通している。ＪＩＳ規格「ＪＩＳＸ６３０２−２」によれば、裏面２ａに形成される磁気ストライプ２ｃには、第１トラック２ｅ、第２トラック２ｆおよび第３トラック２ｇの３つのトラックの磁気データが記録され、表面２ｂに形成される磁気ストライプ２ｄには、トラック２ｈ（以下、第４トラック２ｈとする。）の１つのトラックの磁気データが記録される。また、上記のＪＩＳ規格によれば、第１トラック２ｅ、第３トラック２ｇおよび第４トラック２ｈに記録される磁気データの記録密度（より具体的には、平均記録密度）は２１０ｂｐｉであり、第２トラック２ｆに記録される磁気データの記録密度（より具体的には、平均記録密度）は７５ｂｐｉである。
【０００３】
また、図４に示すように、カード２の短手方向の一端部２ｊから第１トラック２ｅの一端までの距離をＬ１、一端部２ｊから第１トラック２ｅの他端までの距離をＬ２、一端部２ｊから第２トラック２ｆの一端までの距離をＬ３、一端部２ｊから第２トラック２ｆの他端までの距離をＬ４、一端部２ｊから第３トラック２ｇの一端までの距離をＬ５、一端部２ｊから第３トラック２ｇの他端までの距離をＬ６、一端部２ｊから第４トラック２ｈの一端までの距離をＬ７、一端部２ｊから第４トラック２ｈの他端までの距離をＬ８とすると、距離Ｌ１〜Ｌ８は、ＪＩＳ規格にしたがって、たとえば、下記のように設定されている。
Ｌ１：５．６（ｍｍ）、Ｌ２：８．４６（ｍｍ）、Ｌ３：８．９７（ｍｍ）、Ｌ４：１１．７６（ｍｍ）、Ｌ５：１２．２７（ｍｍ）、Ｌ６：１５．３２（ｍｍ）、Ｌ７：６．３（ｍｍ）、Ｌ８：１１．７（ｍｍ）
なお、距離Ｌ１〜Ｌ８がこのように設定される場合には、第４トラック２ｈの一部は、カード２の厚さ方向から見たときに、第２トラック２ｆの全域とほぼ重なる位置に配置されている。
【０００４】
従来、第１トラック２ｅ、第２トラック２ｆおよび第３トラック２ｇの３つのトラックの磁気データが磁気ストライプ２ｃに記録されたカード２を読み取るための磁気カードリーダとして、第１トラック２ｅ、第２トラック２ｆおよび第３トラック２ｇのそれぞれに当接する３つのチャンネルを有する磁気ヘッドが搭載された磁気カードリーダが知られている（たとえば、特許文献１参照）。
【０００５】
この特許文献１に記載の磁気カードリーダでは、たとえば、磁気データを復調し、復号するための読取回路として、第１トラック２ｅに当接するチャンネルおよび第３トラック２ｇに当接するチャンネルのそれぞれに２１０ｂｐｉ用の読取回路が接続され、第２トラック２ｆに当接するチャンネルに７５ｂｐｉ用の読取回路が接続されている。なお、従来、１つのトラックの磁気データが記録される磁気ストライプ２ｄを読み取るための１つのチャンネルを有する磁気ヘッドが搭載された磁気カードリーダも使用されている。この磁気カードリーダでは、磁気データを復調し、復号するための読取回路として、磁気ストライプ２ｄに当接するチャンネルに２１０ｂｐｉ用の読取回路が接続されている。
【先行技術文献】
【特許文献】
【０００６】
【特許文献１】特開２０００−３０６２１１号公報
【発明の概要】
【発明が解決しようとする課題】
【０００７】
上述のカード２のように、裏面２ａと表面２ｂとの両面に磁気ストライプ２ｃ、２ｄが形成されるカード２であって、カード２の厚さ方向から見たときに、２１０ｂｐｉの磁気データが記録される第４トラック２ｈの一部が、７５ｂｐｉの磁気データが記録される第２トラック２ｆの全域とほぼ重なる位置に配置されているカード２を処理する場合には、従来のカードリーダでは、裏面２ａの磁気ストライプ２ｃの磁気データを読み取るための磁気ヘッドと、表面２ｂの磁気ストライプ２ｄの磁気データを読み取るための磁気ヘッドとが必要になる。そのため、カードリーダが大型化し、また、カードリーダのコストも高くなる。
【０００８】
そこで、本発明の課題は、裏面と表面との両面に磁気ストライプが形成された磁気情報記録媒体であって、磁気情報記録媒体の厚さ方向から見たときに、異なる記録密度の磁気データが記録されるトラックが表裏で重なる位置に配置されている磁気情報記録媒体の表裏の磁気データを、比較的簡易な構成で、復調し、復号することが可能な磁気情報読取装置を提供することにある。
【課題を解決するための手段】
【０００９】
上記の課題を解決するため、本発明の磁気情報読取装置は、磁気情報記録媒体に形成される磁気ストライプに記録された磁気データの読取が可能な磁気ヘッドと、磁気ヘッドで読み取られた磁気データを復調し、復号するための制御回路とを備え、磁気ヘッドは、磁気データの読取が可能な１個以上のチャンネルを備え、制御回路は、１つのチャンネルに並列に接続されるとともに２１０ｂｐｉの磁気データを処理するための処理回路および７５ｂｐｉの磁気データを処理するための処理回路の２個の処理回路と、２個の処理回路の出力側が直接または所定の回路を介して接続される演算回路とを備え、処理回路は、チャンネルからの出力信号を増幅する増幅回路と、増幅回路からの出力信号の所定の周波数成分を除去するフィルタ回路と、フィルタ回路からの出力信号を微分する微分回路と、微分回路からの出力信号に基づいて磁気データ復調用の矩形波状の復調用信号を生成する復調用信号生成回路とを備え、演算回路は、２個の復調用信号生成回路から入力される復調用信号に基づいて、復調データと復号データとを生成するとともに、２個の復調用信号生成回路のうちのどちらの復調用信号生成回路から入力される信号に基づく復号データが有効であるかを判別することを特徴とする。
【００１０】
本発明では、磁気ヘッドは、磁気データの読取が可能な１個以上のチャンネルを備え、制御回路は、１つのチャンネルに並列に接続されるとともに２１０ｂｐｉの磁気データを処理するための処理回路および７５ｂｐｉの磁気データを処理するための処理回路の２個の処理回路を備えている。そのため、本発明では、ユーザが磁気情報記録媒体を裏返して所定の操作を行うことで、磁気情報記録媒体の表面の磁気ストライプのトラックに２１０ｂｐｉの磁気データが記録され、磁気情報記録媒体の裏面の磁気ストライプのトラックに７５ｂｐｉの磁気データの記録されており、かつ、磁気情報記録媒体の厚さ方向から見たときに、これらのトラックが表裏で重なる位置に配置されている磁気情報記録媒体の、表面の磁気ストライプの磁気データおよび裏面の磁気ストライプの磁気データの両データを１個の磁気ヘッドで読み取って、制御回路で復調し、復号することが可能になる。すなわち、本発明では、裏面と表面との両面に磁気ストライプが形成された磁気情報記録媒体であって、磁気情報記録媒体の厚さ方向から見たときに、異なる記録密度の磁気データが記録されるトラックが表裏で重なる位置に配置されている磁気情報記録媒体の表裏の磁気データを、比較的簡易な構成で、復調し、復号することが可能になる。
【００１１】
また、本発明では、処理回路は、チャンネルからの出力信号を増幅する増幅回路と、増幅回路からの出力信号の所定の周波数成分を除去するフィルタ回路と、フィルタ回路からの出力信号を微分する微分回路と、微分回路からの出力信号に基づいて磁気データ復調用の矩形波状の復調用信号を生成する復調用信号生成回路とを備えている。そのため、本発明では、２個の復調用信号生成回路から演算回路に２個の信号を同時に入力することが可能になる。したがって、本発明では、磁気データを復調し、復号する際の演算回路の処理時間を短縮することが可能になる。
【００１２】
本発明において、たとえば、磁気情報記録媒体の表面と裏面とのそれぞれに磁気ストライプが形成され、磁気ストライプは、磁気情報読取装置への磁気情報記録媒体の挿入方向に略平行な磁気情報記録媒体の長手方向に沿って形成され、磁気情報記録媒体の裏面に形成される磁気ストライプには、第１トラック、第２トラックおよび第３トラックの３つのトラックの磁気データが記録され、第１トラック、第２トラックおよび第３トラックは、磁気情報記録媒体の長手方向に略直交する磁気情報記録媒体の短手方向の一端部側からこの順番で配置され、第１トラックには、２１０ｂｐｉの磁気データが記録され、第２トラックには、７５ｂｐｉの磁気データが記録され、第３トラックには、２１０ｂｐｉの磁気データが記録され、磁気情報記録媒体の表面に形成される磁気ストライプには、第４トラックの１つのトラックの磁気データが記録され、第４トラックには、２１０ｂｐｉの磁気データが記録され、磁気情報記録媒体の厚さ方向から見たときに、第４トラックの少なくとも一部が第２トラックに重なっている。
【００１３】
本発明において、磁気情報読取装置は、たとえば、磁気ヘッドと対向するように配置され、磁気情報記録媒体の画像を取得する画像読取手段を備えている。本発明では、磁気情報記録媒体の表面の磁気ストライプのトラックに記録される磁気データの記録密度と、磁気情報記録媒体の裏面の磁気ストライプのトラックに記録される磁気データの記録密度とが異なっており、かつ、磁気情報記録媒体の厚さ方向から見たときに、これらのトラックが表裏で重なる位置に配置されている磁気情報記録媒体の、表面の磁気ストライプの磁気データおよび裏面の磁気ストライプの磁気データの両データを１個の磁気ヘッドで読み取って、制御回路で復調し、復号することが可能になるため、磁気ヘッドと対向するように画像読取手段を配置することができる。したがって、本発明では、画像読取手段を配置すれば、磁気情報記録媒体の磁気データを読み取るとともに、磁気情報記録媒体の画像を取得することが可能になる。
【発明の効果】
【００１４】
以上のように、本発明の磁気情報読取装置では、裏面と表面との両面に磁気ストライプが形成された磁気情報記録媒体であって、磁気情報記録媒体の厚さ方向から見たときに、異なる記録密度の磁気データが記録されるトラックが表裏で重なる位置に配置されている磁気情報記録媒体の表裏の磁気データを、比較的簡易な構成で、復調し、復号することが可能になる。
【図面の簡単な説明】
【００１５】
【図１】本発明の実施の形態１にかかる磁気情報読取装置の概略構成を説明するための平面図である。
【図２】図１のＥ−Ｅ方向から磁気情報読取装置の概略構成を説明するための側面図である。
【図３】図１のＦ−Ｆ方向から磁気情報読取装置の概略構成を説明するための正面図である。
【図４】図１に示す磁気情報読取装置で処理される磁気情報記録媒体を説明するための図であり、（Ａ）は磁気情報記録媒体の裏面を示す図、（Ｂ）は磁気情報記録媒体の表面を示す図である。
【図５】図１に示す磁気情報読取装置の制御回路の概略構成を説明するためのブロック図である。
【図６】図５に示すＣＰＵに入力される復調用信号の波形を説明するための図である。
【図７】本発明の実施の形態２にかかる磁気情報読取装置の制御回路の概略構成を説明するためのブロック図である。
【図８】図７に示すＣＰＵでの磁気データの記録密度の判別方法を説明するための図である。
【図９】本発明の実施の形態３にかかる磁気情報読取装置の斜視図である。
【図１０】図９のＧ−Ｇ方向から磁気ヘッド、スキャナおよびパッドローラの配置関係を説明するための図である。
【図１１】図１０のＨ−Ｈ断面に相当する磁気情報読取装置の断面図である。
【図１２】図９に示すカード通過路を通過する磁気情報記録媒体と磁気ヘッドとの配置関係を説明するための図であり、（Ａ）は磁気情報記録媒体の裏面と磁気ヘッドとの配置関係を説明するための図、（Ｂ）は磁気情報記録媒体の表面と磁気ヘッドとの配置関係を説明するための図である。
【図１３】図９に示す磁気情報読取装置の制御回路の概略構成を説明するためのブロック図である。
【図１４】図１３に示すＣＰＵでの復号データの有効判定制御のフローの一例を示すフローチャートである。
【発明を実施するための形態】
【００１６】
以下、図面を参照しながら、本発明の実施の形態を説明する。
【００１７】
［実施の形態１］
（磁気情報読取装置の概略構成）
図１は、本発明の実施の形態１にかかる磁気情報読取装置１の概略構成を説明するための平面図である。図２は、図１のＥ−Ｅ方向から磁気情報読取装置１の概略構成を説明するための側面図である。図３は、図１のＦ−Ｆ方向から磁気情報読取装置１の概略構成を説明するための正面図である。図４は、図１に示す磁気情報読取装置１で処理される磁気情報記録媒体２を説明するための図であり、（Ａ）は磁気情報記録媒体２の裏面２ａを示す図、（Ｂ）は磁気情報記録媒体２の表面２ｂを示す図である。
【００１８】
本形態の磁気情報読取装置１は、磁気情報記録媒体であるカード２に記録された磁気データを読み取って、磁気データを復号するカードリーダである。したがって、以下では、本形態の磁気情報読取装置１を「カードリーダ１」とする。このカードリーダ１は、図１〜図３に示すように、カード２に記録された磁気データを読み取るための磁気ヘッド３、４と、カードリーダ１内でカード２を搬送するための搬送機構５とを備えている。カードリーダ１の内部には、図２に示すように、挿入口６から挿入されたカード２が搬送されるカード搬送路７が直線状に形成されている。
【００１９】
また、カードリーダ１は、カード搬送路７の挿入口６側を閉鎖するためのシャッタ部材８と、カードリーダ１にカード２が挿入されたことを検出するためのプリヘッド９と、カードリーダ１内でのカード２の位置を検出するための４個の検出機構１０〜１３とを備えている。さらに、カードリーダ１は、ＩＣチップが固定されたカード２を処理するためのＩＣ接点を有するＩＣ接点ブロック１４と、通信用アンテナが内蔵されたカード２を処理するための通信用アンテナ１５とを備えている。
【００２０】
本形態では、図１等に示すＸ方向にカード２が搬送される。具体的には、Ｘ１方向にカード２が挿入されて取り込まれ、Ｘ２方向にカード２が排出される。すなわち、Ｘ１方向は、カード２の挿入方向である。また、Ｘ方向は、カードリーダ１の中に挿入されたカード２の長手方向である。また、Ｘ方向に略直交するＹ方向は、カードリーダ１の中に挿入されたカード２の短手方向である。
【００２１】
カード２は、たとえば、厚さが０．７〜０．８ｍｍ程度の矩形状の塩化ビニール製のカードである。カード２の裏面２ａには、磁気データが記録される磁気ストライプ２ｃが形成され、カード２の表面２ｂには、磁気データが記録される磁気ストライプ２ｄが形成されている。磁気ストライプ２ｃ、２ｄは、カード２の長手方向に沿って形成されている。
【００２２】
磁気ストライプ２ｃには、第１トラック２ｅ、第２トラック２ｆおよび第３トラック２ｇの３つのトラックの磁気データが記録されている。第１トラック２ｅ、第２トラック２ｆおよび第３トラック２ｇは、カード２の短手方向の一端部２ｊ側からこの順番で配置されている。磁気ストライプ２ｄには、第４トラック２ｈの１つのトラックの磁気データが記録されている。
【００２３】
第１トラック２ｅ、第２トラック２ｆ、第３トラック２ｇおよび第４トラック２ｈには、たとえば、Ｆ２Ｆの記録方式で磁気データが記録されている。また、カード２の挿入方向における磁気ストライプ２ｃの先端（Ｘ１方向端）２ｋから所定の距離Ｌ１１の範囲は、一定周期で磁気が反転する同期用データが記録されたプリアンブル部２ｍとなっている。すなわち、プリアンブル部２ｍには、同期用のビット“０”が記録されている。同様に、カード２の挿入方向における磁気ストライプ２ｄの先端（Ｘ１方向端）２ｎから所定の距離Ｌ１２の範囲は、一定周期で磁気が反転する同期用データが記録されたプリアンブル部２ｐとなっており、プリアンブル部２ｐには、同期用のビット“０”が記録されている。なお、磁気ストライプ２ｃ、２ｄにプリアンブル部２ｍ、２ｐを設けることは、ＪＩＳ規格「ＪＩＳＸ６３０２−２」に規定されており、このＪＩＳ規格によれば、Ｌ１１は、７．４４（ｍｍ）であり、Ｌ１２は、５（ｍｍ）である。
【００２４】
本形態では、第１トラック２ｅに記録される磁気データの記録密度は２１０ｂｐｉまたは７５ｂｐｉであり、第２トラック２ｆに記録される磁気データの記録密度は２１０ｂｐｉまたは７５ｂｐｉであり、第３トラック２ｇに記録される磁気データの記録密度は２１０ｂｐｉまたは７５ｂｐｉであり、第４トラック２ｈに記録される磁気データの記録密度は、２１０ｂｐｉまたは７５ｂｐｉである。すなわち、カードリーダ１に挿入されるカード２によって、各トラック２ｅ〜２ｈに記録される磁気データの記録密度が異なる場合がある。たとえば、カードリーダ１に挿入されるカード２の中には、第１トラック２ｅ、第２トラック２ｆ、第３トラック２ｇおよび第４トラック２ｈの全てに２１０ｂｐｉの磁気データが記録されているカード２もあれば、第１トラック２ｅ、第２トラック２ｆ、第３トラック２ｇおよび第４トラック２ｈの全てに７５ｂｐｉの磁気データが記録されているカード２もある。
【００２５】
なお、カード２の表面２ｂにＩＣチップが固定されても良い。また、カード２に通信用のアンテナが内蔵されても良い。また、カード２は、厚さが０．１８〜０．３６ｍｍ程度のＰＥＴ（ポリエチレンテレフタレート）カードや、所定の厚さの紙カード等であっても良い。
【００２６】
磁気ヘッド３および磁気ヘッド４は、カード搬送路７を挟んで互いに対向するように配置されている。また、磁気ヘッド３がカード２の裏面２ａの磁気ストライプ２ｃに当接し、磁気ヘッド４がカード２の表面２ｂの磁気ストライプ２ｄに当接するように、磁気ヘッド３および磁気ヘッド４が配置されている。また、磁気ヘッド３および磁気ヘッド４は、カード搬送路７の比較的Ｘ２方向側に配置されている。
【００２７】
磁気ヘッド３は、第１トラック２ｅに記録された磁気データを読み取るための第１チャンネル３ａ（図５参照）と、第２トラック２ｆに記録された磁気データを読み取るための第２チャンネル３ｂ（図５参照）と、第３トラック２ｇに記録された磁気データを読み取るための第３チャンネル３ｃ（図５参照）との３個のチャンネルを備えている。第１チャンネル３ａ、第２チャンネル３ｂおよび第３チャンネル３ｃは、Ｙ方向において、この順番に配置されている。また、第１チャンネル３ａ、第２チャンネル３ｂおよび第３チャンネル３ｃは、２１０ｂｐｉと７５ｂｐｉの２種類の記録密度の磁気データの読取が可能となるように構成されている。すなわち、本形態の第１チャンネル３ａ、第２チャンネル３ｂおよび第３チャンネル３ｃは、複数の記録密度の磁気データの読取が可能なチャンネルである。
【００２８】
磁気ヘッド４は、第４トラック２ｈに記録された磁気データを読み取るための１個のチャンネル（図示省略）を備えている。このチャンネルは、２１０ｂｐｉと７５ｂｐｉの２種類の記録密度の磁気データの読取が可能となるように構成されている。すなわち、本形態の磁気ヘッド４のチャンネルは、複数の記録密度の磁気データの読取が可能なチャンネルである。
【００２９】
搬送機構５は、カード２に当接してカード２を搬送する搬送ローラ１７と、搬送ローラ１７を駆動するモータ１８とを備えている。搬送ローラ１７とモータ１８とは、所定の歯車列を介して連結されている。搬送ローラ１７は、Ｙ方向において、磁気ヘッド３、４と隣接するように配置されている。モータ１８には、モータ１８の回転数を検出するためのエンコーダ１９が取り付けられている。エンコーダ１９は、たとえば、円板状のスリット板と、光学式のセンサとによって構成されている。本形態では、カード２は、搬送機構５によってカードリーダ１内を一定速度で搬送される。
【００３０】
シャッタ部材８は、カード搬送路７のＸ２方向端側に配置されている。このシャッタ部材８には、ソレノイド２０が連結されており、シャッタ部材８は、ソレノイド２０の動力で、図３の実線で示すように、カード搬送路７を開放し、また、図３の二点鎖線で示すように、カード搬送路７を閉鎖する。
【００３１】
プリヘッド９は、挿入口６の近傍に配置されている。また、プリヘッド９は、カード２の裏面２ａの磁気ストライプ２ｃに当接するように配置されている。なお、本形態のプリヘッド９は、磁気ストライプ２ｃの有無を検出するための１つのチャンネルを備えている。
【００３２】
検出機構１０〜１３は、たとえば、発光素子と受光素子とを備える光学式のセンサであり、カード２の長手方向の端部を検出する。図１に示すように、検出機構１０は、カード搬送路７のＸ２方向端に配置され、検出機構１１は、カード２の挿入方向における磁気ヘッド３、４の手前に配置され、検出機構１２は、カード２の挿入方向における磁気ヘッド３、４の奥に配置され、検出機構１３は、カード搬送路７のＸ１方向端に配置されている。
【００３３】
ＩＣ接点ブロック１４は、カード搬送路７のＸ１方向端側に配置されている。ＩＣ接点ブロック１４は、所定のリンク機構に連結されており、Ｘ方向にスライドしながら上下動する。ＩＣ接点ブロック１４が上下動することで、カード２のＩＣチップにＩＣ接点が当接し、また、カード２のＩＣチップからＩＣ接点が離れる。通信用アンテナ１５は、カード搬送路７のＸ１方向端側に配置されている。
【００３４】
（制御回路の構成）
図５は、図１に示す磁気情報読取装置１の制御回路２３の概略構成を説明するためのブロック図である。図６は、図５に示すＣＰＵ２４に入力される復調用信号の波形を説明するための図である。なお、図５では、磁気ヘッド３による磁気データの読取制御に関連する構成が図示されている。
【００３５】
カードリーダ１は、磁気ヘッド３、４で読み取られた磁気データを復調し、復号するための制御回路２３を備えている。図５に示すように、制御回路２３には、磁気ヘッド３が接続されている。具体的には、制御回路２３には、磁気ヘッド３の第１チャンネル３ａ、第２チャンネル３ｂおよび第３チャンネル３ｃが並列に接続されている。なお、制御回路２３には、磁気ヘッド４のチャンネルも接続されている。
【００３６】
制御回路２３は、演算回路としてのＣＰＵ２４を備えている。また、制御回路２３は、第１チャンネル３ａで読み取られた磁気データを処理するための回路として、増幅回路２５と、２１０ｂｐｉの磁気データを処理するための処理回路２６（以下、第１処理回路２６とする。）と、７５ｂｐｉの磁気データを処理するための処理回路２７（以下、第２処理回路２７とする。）と、切替回路２８と、復調用信号生成回路２９とを備えている。また、制御回路２３は、第２チャンネル３ｂで読み取られた磁気データを処理するための回路として、増幅回路２５と、第１処理回路２６と、第２処理回路２７と、切替回路２８と、復調用信号生成回路２９とを備え、第３チャンネル３ｃで読み取られた磁気データを処理するための回路として、増幅回路２５と、第１処理回路２６と、第２処理回路２７と、切替回路２８と、復調用信号生成回路２９とを備えている。
【００３７】
増幅回路２５は、第１チャンネル３ａ、第２チャンネル３ｂおよび第３チャンネル３ｃのそれぞれに接続されており、第１チャンネル３ａ、第２チャンネル３ｂおよび第３チャンネル３ｃからの出力信号を増幅する。
【００３８】
第１処理回路２６および第２処理回路２７は、増幅回路２５の出力側に並列に接続されている。第１処理回路２６は、２１０ｂｐｉ用のフィルタ回路３１と２１０ｂｐｉ用の微分回路３２とを備え、第２処理回路２７は、７５ｂｐｉ用のフィルタ回路３３と７５ｂｐｉ用の微分回路３４とを備えている。フィルタ回路３１、３３は、増幅回路２５の出力側に接続されており、増幅回路２５からの出力信号の所定の周波数成分を除去する。具体的には、フィルタ回路３１、３３は、いわゆるローパスフィルタであり、所定の周波数以上の周波数成分を除去する。微分回路３２、３４は、フィルタ回路３１、３３に接続されており、フィルタ回路３１、３３からの出力信号を微分する。
【００３９】
切替回路２８の入力側には、第１処理回路２６および第２処理回路２７が並列に接続されている。また、切替回路２８の出力側には、復調用信号生成回路２９が接続されている。切替回路２８は、ＣＰＵ２４からの制御信号に基づいて、第１処理回路２６または第２処理回路２７のいずれを復調用信号生成回路２９に接続するかの切替を行う。すなわち、切替回路２８は、第１処理回路２６または第２処理回路２７のいずれか一方を復調用信号生成回路２９に接続する機能を果たしている。なお、切替回路２８の切替方法については後述する。
【００４０】
復調用信号生成回路２９の出力側は、ＣＰＵ２４に接続されている。復調用信号生成回路２９は、切替回路２８からの出力信号に基づいて磁気データ復調用の矩形波状の復調用信号を生成する。具体的には、復調用信号生成回路２９は、搬送機構５によるカード２の一定の搬送速度と磁気データの記録密度とによって定まる周期で変化する矩形波状の復調用信号を生成する。
【００４１】
たとえば、切替回路２８からの出力信号が２１０ｂｐｉの磁気データに基づくものであり、かつ、磁気データのビットが全て“０”である場合には、復調用信号生成回路２９は、図６（Ａ）に示すように、一定の周期Ｔ１の復調用信号ＳＧ１を生成する。また、切替回路２８からの出力信号が７５ｂｐｉの磁気データに基づくものであり、かつ、磁気データのビットが全て“０”である場合には、復調用信号生成回路２９は、図６（Ｂ）に示すように、一定の周期Ｔ２の復調用信号ＳＧ２を生成する。なお、周期Ｔ２は、周期Ｔ１の約２．８倍となっている。
【００４２】
上述のように、本形態では、カードリーダ１に挿入されるカード２によって、第１トラック２ｅ、第２トラック２ｆおよび第３トラック２ｇの各トラックに記録される磁気データの記録密度が異なる場合がある。そのため、本形態では、ＣＰＵ２４は、復調用信号生成回路２９から入力される復調用信号に基づいて、第１トラック２ｅ、第２トラック２ｆおよび第３トラック２ｇに記録された磁気データの記録密度が２１０ｂｐｉであるか７５ｂｐｉであるかを判別する。
【００４３】
具体的には、ＣＰＵ２４は、磁気ヘッド３の第１チャンネル３ａ、第２チャンネル３ｂおよび第３チャンネル３ｃでの読取結果に基づいて、搬送機構５によって搬送されるカード２の磁気データの記録密度を判別する。また、ＣＰＵ２４は、プリアンブル部２ｍに記録された同期用データの読取結果に基づいて、磁気データの記録密度を判別する。さらに、ＣＰＵ２４は、復調用信号生成回路２９から入力される復調用信号の周波数に基づいて磁気データの記録密度を判別する。なお、プリアンブル部２ｍに記録された同期用データのビットは全て“０”であり、上述のように、復調用信号ＳＧ２の周期Ｔ２は、復調用信号ＳＧ１の周期Ｔ１の約２．８倍であるため、ＣＰＵ２４は、復調用信号生成回路２９から入力される復調用信号の周波数に基づいて磁気データの記録密度を容易に判別することができる。
【００４４】
また、ＣＰＵ２４には、切替回路２８が接続されており、ＣＰＵ２４は、判別された記録密度の磁気データを処理するための第１処理回路２６または第２処理回路２７が復調用信号生成回路２９に接続されるように、切替回路２８を切り替える。すなわち、記録密度が２１０ｂｐｉであると判別された場合には、第１処理回路２６が復調用信号生成回路２９に接続され、記録密度が７５ｂｐｉであると判別された場合には、第２処理回路２７が復調用信号生成回路２９に接続されるように、ＣＰＵ２４は切替回路２８を切り替える。
【００４５】
本形態では、磁気データの読取前の切替回路２８は、第１処理回路２６が復調用信号生成回路２９に接続されるように設定されている。そのため、記録密度が２１０ｂｐｉであると判別された場合には、ＣＰＵ２４は、切替回路２８に対して切替用の制御信号を出力しない。一方、記録密度が７５ｂｐｉであると判別された場合には、ＣＰＵ２４は、切替回路２８に切替用の制御信号を出力し、第２処理回路２７が復調用信号生成回路２９に接続されるように切替回路２８を切り替える。
【００４６】
切替回路２８の切替は、同期データの読取中に終了する。すなわち、切替回路２８の切替は、同期用データに続く磁気データの有効データ部分を磁気ヘッド３が読み取る前に終了する。切替回路２８の切替が終わった後もカード２は、引き続きＸ１方向に搬送され、磁気ヘッド３は、磁気データの有効データ部分を読み取る。また、ＣＰＵ２４は、記録密度の判別に引き続き、復調用信号生成回路２９から入力される復調用信号に基づいて、磁気データの有効データ部分を復調し、復号する。
【００４７】
なお、制御回路２３は、磁気ヘッド４のチャンネルで読み取られた磁気データを処理するための回路として、増幅回路２５と、第１処理回路２６と、第２処理回路２７と、切替回路２８と、復調用信号生成回路２９とを備えている。磁気ヘッド４のチャンネルで読み取られた磁気データは、第１チャンネル３ａ、第２チャンネル３ｂおよび第３チャンネル３ｃで読み取られた磁気データと同様に、ＣＰＵ２４で、記録密度が判別され、また、復調、復号される。
【００４８】
（本形態の主な効果）
以上説明したように、本形態では、磁気ヘッド３の第１チャンネル３ａ、第２チャンネル３ｂおよび第３チャンネル３ｃは、２１０ｂｐｉと７５ｂｐｉの２種類の記録密度の読取が可能となるように構成され、磁気ヘッド４のチャンネルは、２１０ｂｐｉと７５ｂｐｉの２種類の記録密度の読取が可能となるように構成されている。また、本形態では、制御回路２３は、２１０ｂｐｉの磁気データを処理するための第１処理回路２６と、７５ｂｐｉの磁気データを処理するための第２処理回路２７とを備え、第１処理回路２６および第２処理回路２７は、第１チャンネル３ａ、第２チャンネル３ｂ、第３チャンネル３ｃおよび磁気ヘッド４のチャンネルのそれぞれに増幅回路２５を介して並列に接続されている。
【００４９】
そのため、本形態では、カード２の各トラック２ｅ〜２ｈに記録される磁気データの記録密度が２１０ｂｐｉまたは７５ｂｐｉのいずれであっても、２１０ｂｐｉおよび７５ｂｐｉの磁気データを磁気ヘッド３、４で読み取って、制御回路２３で復調し、復号することができる。すなわち、本形態では、国際規格やＪＩＳ規格に準じた記録密度の磁気データを有するカード２（具体的には、第１トラック２ｅ、第３トラック２ｇおよび第４トラック２ｈに２１０ｂｐｉの磁気データが記録され、かつ、第３トラック２ｆに７５ｂｐｉの磁気データが記録されたカード２）と、国際規格やＪＩＳ規格から外れている記録密度の磁気データを有するカード２（具体的には、第１トラック２ｅ、第３トラック２ｇおよび／または第４トラック２ｈに７５ｂｐｉの磁気データが記録され、および／または、第３トラック２ｆに２１０ｂｐｉの磁気データが記録されたカード２）とを磁気ヘッド３、４を用いて処理することができる。したがって、本形態では、磁気データの記録密度が国際規格やＪＩＳ規格から外れているカード２の磁気データの復調、復号が可能であっても、汎用性を高めることが可能になる。
【００５０】
また、本形態では、市場に出回るカード２に記録される磁気データの一般的な記録密度である２１０ｂｐｉの磁気データと７５ｂｐｉの磁気データとを復調し、復号することができるため、市場においてカードリーダ１を広く利用することが可能になる。
【００５１】
本形態では、切替回路２８とＣＰＵ２４との間に復調用信号を生成する復調用信号生成回路２９が配置されている。そのため、制御回路２３が第１処理回路２６と第２処理回路２７とを備えている場合であっても、共通の復調用信号生成回路２９で復調用信号を生成することができる。したがって、本形態では、制御回路２３の構成を簡素化することができる。
【００５２】
本形態では、ＣＰＵ２４は、プリアンブル部２ｍ、２ｐに記録された同期用データの読取結果に基づいて、磁気データの記録密度を判別し、判別された記録密度の磁気データを処理するための第１処理回路２６または第２処理回路２７が復調用信号生成回路２９に接続されるように、切替回路２８を切り替える。そのため、第１処理回路２６または第２処理回路２７の出力側が、切替回路２８および復調用信号生成回路２９を介してＣＰＵ２４に接続されていても、磁気データの有効データ部分の復調、復号時には、磁気ストライプ２ｃ、２ｄに記録された記録密度の磁気データを処理するための第１処理回路２６または第２処理回路２７からの出力信号のみがＣＰＵ２４に入力される。したがって、本形態では、磁気データを復調し、復号する際のＣＰＵ２４の処理を簡素化することが可能になり、磁気データを復調し、復号する際のＣＰＵ２４の処理時間を短縮することが可能になる。
【００５３】
本形態では、ＣＰＵ２４は、プリアンブル部２ｍ、２ｐに記録された同期用データの読取結果に基づいて、磁気データの記録密度を判別している。すなわち、磁気ストライプ２ｃ、２ｄに記録された磁気データの記録密度をＣＰＵ２４が判別する際に、一定周期で磁気が反転する同期用データの読取結果が利用されている。そのため、ＣＰＵ２４は、磁気データの記録密度を判別しやすくなる。したがって、磁気データの記録密度を判別する際のＣＰＵ２４の処理を簡素化することが可能になり、磁気データの記録密度を判別する際のＣＰＵ２４の処理時間を短縮することが可能になる。
【００５４】
本形態では、ＣＰＵ２４は、復調用信号生成回路２９から入力される復調用信号の周波数に基づいて磁気データの記録密度を判別している。上述のように、復調用信号ＳＧ２の周期Ｔ２は、復調用信号ＳＧ１の周期Ｔ１の約２．８倍であるため、本形態では、ＣＰＵ２４は、復調用信号生成回路２９から入力される復調用信号の周波数に基づいて磁気データの記録密度を容易にかつ適切に判別することが可能になる。
【００５５】
（実施の形態１の変形例）
実施の形態１では、磁気ヘッド３の第１チャンネル３ａ、第２チャンネル３ｂ、第３チャンネル３ｃ、および、磁気ヘッド４のチャンネルは、２１０ｂｐｉと７５ｂｐｉの２種類の記録密度の磁気データの読取が可能となるように構成され、第１処理回路２６は、２１０ｂｐｉ用のフィルタ回路３１および微分回路３２を備え、第２処理回路２７は、７５ｂｐｉ用のフィルタ回路３３および微分回路３４を備えている。この他にもたとえば、磁気ヘッド３の第１チャンネル３ａ、第２チャンネル３ｂ、第３チャンネル３ｃ、および、磁気ヘッド４のチャンネルは、２１０ｂｐｉおよび／または７５ｂｐｉ以外の２種類の記録密度の磁気データの読取が可能となるように構成され、第１処理回路２６および第２処理回路２７は、磁気ヘッド３の第１チャンネル３ａ、第２チャンネル３ｂ、第３チャンネル３ｃ、および、磁気ヘッド４のチャンネルで読取可能な記録密度の磁気データを処理できるフィルタ回路および微分回路を備えていても良い。この場合には、制御回路２３は、磁気ヘッド３の第１チャンネル３ａ、第２チャンネル３ｂ、第３チャンネル３ｃ、および、磁気ヘッド４のチャンネルで読取可能な記録密度の磁気データを処理できる増幅回路を備えている。
【００５６】
また、磁気ヘッド３の第１チャンネル３ａ、第２チャンネル３ｂ、第３チャンネル３ｃ、および、磁気ヘッド４のチャンネルが、３種類以上の記録密度の磁気データの読取が可能となるように構成され、制御回路２３が、３種類以上の記録密度の磁気データをそれぞれ処理するための３個以上の処理回路を備えていても良い。たとえば、磁気ヘッド３の第１チャンネル３ａ、第２チャンネル３ｂ、第３チャンネル３ｃ、および、磁気ヘッド４のチャンネルは、３種類の記録密度の磁気データの読取が可能となるように構成され、制御回路２３は、３種類の記録密度の磁気データをそれぞれ処理するための第１処理回路、第２処理回路および第３処理回路の３個の処理回路を備えていても良い。
【００５７】
実施の形態１では、切替回路２８とＣＰＵ２４との間に復調用信号生成回路２９が配置されている。この他にもたとえば、切替回路２８がＣＰＵ２４と直接、接続されても良い。この場合には、第１処理回路２６および第２処理回路２７のそれぞれが復調用信号生成回路２９を備えている。
【００５８】
実施の形態１では、磁気ヘッド３の第１チャンネル３ａ、第２チャンネル３ｂ、第３チャンネル３ｃ、および、磁気ヘッド４のチャンネルのそれぞれに増幅回路２５が接続され、増幅回路２５に第１処理回路２６と第２処理回路２７とが並列に接続されている。この他にもたとえば、第１処理回路２６および第２処理回路２７が増幅回路２５を備え、磁気ヘッド３の第１チャンネル３ａ、第２チャンネル３ｂ、第３チャンネル３ｃ、および、磁気ヘッド４のチャンネルのそれぞれに第１処理回路２６と第２処理回路２７とが並列に、かつ、直接、接続されても良い。
【００５９】
実施の形態１では、カード２の表面２ｂに磁気ストライプ２ｄが形成されている。この他にもたとえば、カード２の表面２ｂに磁気ストライプ２ｄが形成されていなくても良い。この場合には、カードリーダ１は、磁気ヘッド４を備えていなくても良い。また、実施の形態１では、カード２の磁気ストライプ２ｃには、３つのトラックの磁気データが記録されているが、磁気ストライプ２ｃに記録される磁気データのトラック数は、２つ以下であっても良いし、４つ以上であっても良い。
【００６０】
実施の形態１では、切替回路２８の切替は、同期用データに続く磁気データの有効データ部分を磁気ヘッド３が読み取る前に終了しており、切替回路２８の切替が終わった後もカード２は、引き続きＸ１方向に搬送され、磁気ヘッド３は、磁気データの有効データ部分を読み取る。この他にもたとえば、同期用データの記録エリアが狭くて、磁気データの有効データ部分を磁気ヘッド３が読み取る前に切替回路２８の切替が終了しない場合には、磁気データの有効データ部分を磁気ヘッド３で読み取れる位置まで、カード２を一旦、Ｘ２方向へ搬送した後に、カード２を再びＸ１方向へ搬送して、磁気データの有効データ部分を磁気ヘッド３で読み取っても良い。また、磁気データの有効データ部分を磁気ヘッド３が読み取る前に切替回路２８の切替が終了している場合であっても、カード２を一旦、Ｘ２方向へ搬送した後に、カード２を再びＸ１方向へ搬送して、磁気データの有効データ部分を磁気ヘッド３で読み取っても良い。このように、カード２を一旦、Ｘ２方向へ搬送した後に、カード２を再びＸ１方向へ搬送して、磁気データの有効データ部分を磁気ヘッド３で読み取ると、犯罪者が不正に磁気データを取得するための読取装置を挿入口６に取り付けて磁気データを取得するいわゆるスキミングを防止することが可能になる。
【００６１】
［実施の形態２］
図７は、本発明の実施の形態２にかかる磁気情報読取装置１の制御回路４３の概略構成を説明するためのブロック図である。図８は、図７に示すＣＰＵ２４での磁気データの記録密度の判別方法を説明するための図である。なお、図７では、磁気ヘッド３およびプリヘッド９による磁気データの読取制御に関連する構成が図示されている。
【００６２】
実施の形態１では、ＣＰＵ２４は、磁気ヘッド３の第１チャンネル３ａ、第２チャンネル３ｂおよび第３チャンネル３ｃでの読取結果に基づいて、第１トラック２ｅ、第２トラック２ｆおよび第３トラック２ｇに記録された磁気データの記録密度を判別している。これに対して、実施の形態２では、プリヘッド９が、第１トラック２ｅに記録された磁気データを読み取るための第１チャンネル９ａと、第２トラック２ｆに記録された磁気データを読み取るための第２チャンネル９ｂと、第３トラック２ｇに記録された磁気データを読み取るための第３チャンネル９ｃとの３個のチャンネルを備え、ＣＰＵ２４は、プリヘッド９の第１チャンネル９ａ、第２チャンネル９ｂおよび第３チャンネル９ｃでの読取結果に基づいて、第１トラック２ｅ、第２トラック２ｆおよび第３トラック２ｇに記録された磁気データの記録密度を判別している。
【００６３】
この点が実施の形態１と実施の形態２との主な相違点であるため、以下、この相違点を中心に、実施の形態２にかかるカードリーダ１の構成を説明する。なお、図７、図８では、実施の形態１と同一の構成については同一の符号を付している。
【００６４】
上述のように、プリヘッド９は、第１チャンネル９ａと第２チャンネル９ｂと第３チャンネル９ｃとの３個のチャンネルを備えている。第１チャンネル９ａ、第２チャンネル９ｂおよび第３チャンネル９ｃは、２１０ｂｐｉと７５ｂｐｉの２種類の記録密度の読取が可能となるように構成されている。すなわち、本形態の第１チャンネル９ａ、第２チャンネル９ｂおよび第３チャンネル９ｃは、複数の記録密度の磁気データの読取が可能なチャンネルである。
【００６５】
制御回路４３は、第１チャンネル９ａ、第２チャンネル９ｂおよび第３チャンネル９ｃのそれぞれに接続される増幅回路４５と、第１チャンネル３ａが接続される増幅回路２５および第１チャンネル９ａが接続される増幅回路４５が入力側に並列に接続されるヘッド切替回路４６と、第２チャンネル３ｂが接続される増幅回路２５および第２チャンネル９ｂが接続される増幅回路４５が入力側に並列に接続されるヘッド切替回路４６と、第３チャンネル３ｃが接続される増幅回路２５および第３チャンネル９ｃが接続される増幅回路４５が入力側に並列に接続されるヘッド切替回路４６とを備えている。ヘッド切替回路４６の出力側には、第１処理回路２６および第２処理回路２７が並列に接続されている。本形態では、磁気データの読取前のヘッド切替回路４６は、プリヘッド９の第１チャンネル９ａ、第２チャンネル９ｂおよび第３チャンネル９ｃが第１処理回路２６および第２処理回路２７に接続されるように設定されている。
【００６６】
上述のように、本形態では、ＣＰＵ２４は、プリヘッド９の第１チャンネル９ａ、第２チャンネル９ｂおよび第３チャンネル９ｃでの読取結果に基づいて、第１トラック２ｅ、第２トラック２ｆおよび第３トラック２ｇに記録された磁気データの記録密度を判別する。また、本形態では、実施の形態１と同様に、ＣＰＵ２４は、プリアンブル部２ｍに記録された同期用データの読取結果に基づいて、磁気データの記録密度を判別する。ここで、プリヘッド９は、挿入口６の近傍に配置されている。そのため、プリアンブル部２ｍがプリヘッド９を通過する際には、カード２は、ユーザによって手動でカードリーダ１内に挿入されており、搬送機構５によって搬送されていない。すなわち、プリアンブル部２ｍがプリヘッド９を通過する際のカード２の移動速度は必ずしも一定ではない。
【００６７】
そこで、本形態では、たとえば、ＣＰＵ２４は、ＣＰＵ２４に入力される復調用信号の、プリヘッド９でカード２の先端部（Ｘ１方向端部）が検出されてから検出機構１０でカード２の先端部が検出されるまでの磁気反転数に基づいて、第１トラック２ｅ、第２トラック２ｆおよび第３トラック２ｇに記録された磁気データの記録密度を判別する。または、ＣＰＵ２４は、ＣＰＵ２４に入力される復調用信号の、検出機構１０でカード２の先端部が検出されてから検出機構１１でカード２の先端部が検出されるまでの磁気反転数に基づいて、第１トラック２ｅ、第２トラック２ｆおよび第３トラック２ｇに記録された磁気データの記録密度を判別する。あるいは、ＣＰＵ２４は、ＣＰＵ２４に入力される復調用信号の、プリヘッド９でカード２の先端部が検出されてから検出機構１０でカード２の先端部が検出されるまでの磁気反転数と、ＣＰＵ２４に入力される復調用信号の、検出機構１０でカード２の先端部が検出されてから検出機構１１でカード２の先端部が検出されるまでの磁気反転数との両者に基づいて、第１トラック２ｅ、第２トラック２ｆおよび第３トラック２ｇに記録された磁気データの記録密度を判別する。
【００６８】
なお、図８に示すように、記録密度が２１０ｂｐｉのときの、カード２が所定の距離移動する間の磁気反転数は、記録密度が７５ｂｐｉのときの、カード２が所定の距離移動する間の磁気反転数の約２．８倍となるため、ＣＰＵ２４は、復調用信号生成回路２９から入力される復調用信号の磁気反転数に基づいて磁気データの記録密度を容易に判別することができる。
【００６９】
また、ＣＰＵ２４は、磁気データの記録密度を判別結果に基づいて、判別された記録密度の磁気データを処理するための第１処理回路２６または第２処理回路２７が復調用信号生成回路２９に接続されるように、実施の形態１と同様に、切替回路２８を切り替える。本形態では、切替回路２８の切替は、磁気データを磁気ヘッド３が読み取る前に終了する。
【００７０】
ＣＰＵ２４には、ヘッド切替回路４６が接続されており、切替回路２８の切替が終了すると、ＣＰＵ２４は、磁気ヘッド３の第１チャンネル３ａ、第２チャンネル３ｂおよび第３チャンネル３ｃが第１処理回路２６および第２処理回路２７に接続されるようにヘッド切替回路４６を切り替える。その後、ＣＰＵ２４は、磁気ヘッド３の第１チャンネル３ａ、第２チャンネル３ｂおよび第３チャンネル３ｃでの読取結果に基づいて、第１トラック２ｅ、第２トラック２ｆおよび第３トラック２ｇに記録された磁気データの有効データ部分を復調し、復号する。
【００７１】
以上説明したように、本形態では、ＣＰＵ２４は、挿入口６の近傍に配置されるプリヘッド９の第１チャンネル９ａ、第２チャンネル９ｂおよび第３チャンネル９ｃでの読取結果に基づいて、第１トラック２ｅ、第２トラック２ｆおよび第３トラック２ｇに記録された磁気データの記録密度を判別して、切替回路２８を切り替えている。そのため、本形態では、磁気ヘッド３で磁気データを読み取る前に確実に切替回路２８を切り替えることが可能になる。
【００７２】
本形態では、カード２が所定の距離移動する間の復調用信号の磁気反転数に基づいて、ＣＰＵ２４が磁気データの記録密度を判別している。そのため、カード２が一定速度で移動していなくても、ＣＰＵ２４で、第１トラック２ｅ、第２トラック２ｆおよび第３トラック２ｇに記録された磁気データの記録密度を適切に判別することができる。
【００７３】
本形態では、増幅回路２５、４５がヘッド切替回路４６の入力側に並列に接続されるとともに、第１処理回路２６および第２処理回路２７がヘッド切替回路４６の出力側に並列に接続されている。そのため、増幅回路２５、４５の出力側のそれぞれに第１処理回路２６や第２処理回路２７が接続されている場合と比較して、制御回路４３の構成を簡素化することが可能になる。
【００７４】
なお、本形態では、プリヘッド９は、カードリーダ１にカード２が挿入されたことを検出するための媒体挿入検出用ヘッドであり、磁気ヘッド３は、磁気ストライプ３ｃに記録された磁気データを読み取って復調し、復号するためのデータ復調用ヘッドである。また、本形態では、ＣＰＵ２４に入力される復調用信号の、プリヘッド９でカード２の先端部が検出されてから検出機構１０でカード２の先端部が検出されるまでの磁気反転数に基づいて、第１トラック２ｅ、第２トラック２ｆおよび第３トラック２ｇに記録された磁気データの記録密度をＣＰＵ２４が判別する場合には、プリヘッド９は、検出機構１０よりも挿入口６側に配置される第１検出機構であり、検出機構１０は、第２検出機構である。また、ＣＰＵ２４に入力される復調用信号の、検出機構１０でカード２の先端部が検出されてから検出機構１１でカード２の先端部が検出されるまでの磁気反転数に基づいて、第１トラック２ｅ、第２トラック２ｆおよび第３トラック２ｇに記録された磁気データの記録密度をＣＰＵ２４が判別する場合には、検出機構１０は、検出機構１１よりも挿入口６側に配置される第１検出機構であり、検出機構１１は、第２検出機構である。
【００７５】
（実施の形態２の変形例）
実施の形態２では、増幅回路２５、４５がヘッド切替回路４６の入力側に並列に接続されるとともに、第１処理回路２６および第２処理回路２７がヘッド切替回路４６の出力側に並列に接続されている。この他にもたとえば、増幅回路２５、４５の出力側のそれぞれに第１処理回路２６や第２処理回路２７が接続されても良い。
【００７６】
実施の形態２では、ＣＰＵ２４は、ＣＰＵ２４に入力される復調用信号の、プリヘッド９でカード２の先端部が検出されてから検出機構１０でカード２の先端部が検出されるまでの磁気反転数や、ＣＰＵ２４に入力される復調用信号の、検出機構１０でカード２の先端部が検出されてから検出機構１１でカード２の先端部が検出されるまでの磁気反転数に基づいて、第１トラック２ｅ、第２トラック２ｆおよび第３トラック２ｇに記録された磁気データの記録密度を判別している。この他にもたとえば、カード２の挿入時に、シャッタ部材８でカード搬送路７を閉鎖しカード２の先端部をシャッタ部材８に突き当てた後に、シャッタ部材８を退避させてカード搬送路７を開放するとともに、ＣＰＵ２４に入力される復調用信号の、カード２の先端部がシャッタ部材８に突き当たった位置から検出機構１０または検出機構１１でカード２の先端部が検出されるまでの磁気反転数に基づいて、ＣＰＵ２４が、第１トラック２ｅ、第２トラック２ｆおよび第３トラック２ｇに記録された磁気データの記録密度を判別しても良い。このように構成すると、犯罪者が不正に磁気データを取得するための読取装置を挿入口６に取り付けて磁気データを取得するいわゆるスキミングを防止することが可能になる。
【００７７】
［実施の形態３］
（磁気情報読取装置の概略構成）
図９は、本発明の実施の形態３にかかる磁気情報読取装置５１の斜視図である。図１０は、図９のＧ−Ｇ方向から磁気ヘッド５５、スキャナ５６およびパッドローラ５７の配置関係を説明するための図である。図１１は、図１０のＨ−Ｈ断面に相当する磁気情報読取装置５１の断面図である。図１２は、図９に示すカード通過路５３を通過する磁気情報記録媒体２と磁気ヘッド５５との配置関係を説明するための図であり、（Ａ）は磁気情報記録媒体２の裏面２ａと磁気ヘッド５５との配置関係を説明するための図、（Ｂ）は磁気情報記録媒体２の表面２ｂと磁気ヘッド５５との配置関係を説明するための図である。
【００７８】
なお、以下の説明では、図９等に示すように、互いに直交する３方向をＸ方向、Ｙ方向およびＺ方向とし、Ｘ方向を前後方向、Ｙ方向を上下方向、Ｚ方向を左右方向とする。また、図９のＸ１方向側を「後（後ろ）」側、Ｘ２方向側を「前」側、Ｙ１方向側を「上」側、Ｙ２方向側を「下」側とする。
【００７９】
本形態の磁気情報読取装置５１は、ユーザが手動でカード２を操作して、カード２に記録された磁気データを読み取り、復号するための装置である。また、本形態の磁気情報読取装置５１は、ユーザが手動でカード２を操作して、カード２上の画像を取得するための装置である。具体的には、磁気情報読取装置５１は、溝状に形成されたカード通過路５３に沿ってカード２を移動させながら（カード通過路５３を通過させながら）カード２の磁気データを読み取るとともにカード２上の画像を取得するいわゆるスワイプ式のカードリーダである。したがって、以下では、本形態の磁気情報読取装置５１を「カードリーダ５１」とする。
【００８０】
カードリーダ５１は、図９〜１１に示すように、カード通過路５３を通過するカード２に記録された磁気データを読み取るための磁気ヘッド５５と、カード２上の文字やバーコード等を読み取ってカード２上の画像を取得する画像読取手段としてのスキャナ５６と、スキャナ５６に対向するように配置されカード通過路５３を通過するカード２をスキャナ５６に向かって押圧するパッドローラ５７とを備えている。
【００８１】
本形態では、カードリーダ５１の前側から後ろ側に向かって（すなわち、Ｘ１方向に）ユーザがカード２を移動させながらカード２の磁気データの読み取りとカード２上の画像の取得とが行われるようにカードリーダ５１が構成されている。すなわち、本形態では、Ｘ１方向は、カード２の挿入方向であり、かつ、通過方向である。また、本形態では、左右方向はカード２の厚さ方向であり、前後方向はカード２の長手方向であり、上下方向はカード２の短手方向である。
【００８２】
カード２は、実施の形態１で説明したように、たとえば、厚さが０．７〜０．８ｍｍ程度の矩形状の塩化ビニール製のカードであり、裏面２ａには、磁気ストライプ２ｃが形成され、表面２ｂには、磁気ストライプ２ｄが形成されている。磁気ストライプ２ｃには、第１トラック２ｅ、第２トラック２ｆおよび第３トラック２ｇの３つのトラックの磁気データが記録されている。磁気ストライプ２ｄには、第４トラック２ｈの１つのトラックの磁気データが記録されている。
【００８３】
第１トラック２ｅ、第２トラック２ｆ、第３トラック２ｇおよび第４トラック２ｈには、たとえば、Ｆ２Ｆの記録方式で磁気データが記録されている。また、本形態では、第１トラック２ｅ、第３トラック２ｇおよび第４トラック２ｈに記録される磁気データの記録密度は２１０ｂｐｉであり、第２トラック２ｆに記録される磁気データの記録密度は７５ｂｐｉである。すなわち、カードリーダ５１に挿入されるカード２は、国際規格やＪＩＳ規格に準じたカードである。
【００８４】
また、本形態では、図１２に示すように、カード２の短手方向の一端部２ｊから第１トラック２ｅの一端までの距離Ｌ１、一端部２ｊから第１トラック２ｅの他端までの距離Ｌ２、一端部２ｊから第２トラック２ｆの一端までの距離Ｌ３、一端部２ｊから第２トラック２ｆの他端までの距離Ｌ４、一端部２ｊから第３トラック２ｇの一端までの距離Ｌ５、一端部２ｊから第３トラック２ｇの他端までの距離Ｌ６、一端部２ｊから第４トラック２ｈの一端までの距離Ｌ７、一端部２ｊから第４トラック２ｈの他端までの距離Ｌ８は、ＪＩＳ規格にしたがって、それぞれ以下のように設定されている。
Ｌ１：５．６（ｍｍ）、Ｌ２：８．４６（ｍｍ）、Ｌ３：８．９７（ｍｍ）、Ｌ４：１１．７６（ｍｍ）、Ｌ５：１２．２７（ｍｍ）、Ｌ６：１５．３２（ｍｍ）、Ｌ７：６．３（ｍｍ）、Ｌ８：１１．７（ｍｍ）
【００８５】
すなわち、本形態では、第４トラック２ｈの一部は、カード２の厚さ方向から見たときに、第２トラック２ｆの全域とほぼ重なる位置に配置されている。
【００８６】
また、カード２の裏面２ａおよび／または表面２ｂには、文字や図形、模様等が描かれている。あるいは、カード２の裏面２ａおよび／または表面２ｂには、バーコード等が印刷されている。なお、カード２の表面２ｂにＩＣチップが固定されても良いし、カード２に通信用のアンテナが内蔵されても良い。
【００８７】
磁気ヘッド５５は、第１トラック２ｅに記録された磁気データを読み取るための第１チャンネル５５ａと、第２トラック２ｆに記録された磁気データおよび第４トラック２ｈに記録された磁気データを読み取るための第２チャンネル５５ｂと、第３トラック２ｇに記録された磁気データを読み取るための第３チャンネル５５ｃとの３個のチャンネルを備えている。すなわち、第１チャンネル５５ａおよび第３チャンネル５５ｃは、２１０ｂｐｉの磁気データの読取が可能となるように構成されている。また、第２チャンネル５５ｂは、２１０ｂｐｉと７５ｂｐｉの２種類の記録密度の磁気データの読取が可能となるように構成されている。すなわち、本形態の第２チャンネル５５ｂは、複数の記録密度の磁気データの読取が可能なチャンネルである。また、第１チャンネル５５ａ、第２チャンネル５５ｂおよび第３チャンネル５５ｃは、左右方向において、この順番に配置されている。
【００８８】
スキャナ５６は、いわゆる密着型のスキャナ（イメージセンサ）である。スキャナ５６は、左右方向において、磁気ヘッド５５と対向するように配置されている。パッドローラ５７は、上下方向において、磁気ヘッド５５と隣接するように配置されている。
【００８９】
カード通過路５３は、図１０に示すように、上端側が開口する溝状に形成されている。また、カード通過路５３は、図１１に示すように、カードリーダ５１の前端から後端までの全域にわたって直線状に形成されている。カード通過路５３の深さ（上下方向の深さ）は、カード２の短手方向の幅よりも浅くなっており、カード通過路５３を通過するカード２の上端側は、カードリーダ５１の外部に露出する。カード２の磁気データを読み取ったり、カード２上の画像を取得する際には、ユーザは、カードリーダ５１の外部に露出するカード２の上端側をつかんで、カード通過路５３をカード２が通過するように、カード２を後ろ側に向かって移動させる。
【００９０】
本形態では、カード通過路５３の下端面を構成する底面５３ａにカード２の一端部２ｊを押し付けながら、カード２の裏面２ａと磁気ヘッド５５とが当接するようにカード２を移動させると、磁気ストライプ２ｃに記録された磁気データが磁気ヘッド５５によって読み取られる。具体的には、第１トラック２ｅに記録された磁気データが第１チャンネル５５ａによって読み取られ、第２トラック２ｆに記録された磁気データが第２チャンネル５５ｂによって読み取られ、第３トラック２ｇに記録された磁気データが第３チャンネル５５ｃによって読み取られる。また、カード２の一端部２ｊをカード通過路５３の底面５３ａに押し付けながら、カード２の表面２ｂと磁気ヘッド５５とが当接するようにカード２を移動させると、磁気ストライプ２ｄに記録された磁気データが磁気ヘッド５５によって読み取られる。具体的には、第４トラック２ｈに記録された磁気データが第２チャンネル５５ｂによって読み取られる。
【００９１】
このように、本形態では、カード通過路５３の底面５３ａは、上下方向における磁気ヘッド５５の位置と磁気ストライプ２ｃ、２ｄとの位置を合わせるための基準面となっている。また、カード２の一端部２ｊをカード通過路５３の底面５３ａに押し付けながら、カード２を移動させることで、上下方向におけるカード２上の文字等とスキャナ５６との位置も合う。
【００９２】
なお、本形態では、図１２に示すように、カード通過路５３の底面５３ａから第１チャンネル５５ａの一端までの距離Ｌ２１、底面５３ａから第１チャンネル５５ａの他端までの距離Ｌ２２、底面５３ａから第２チャンネル５５ｂの一端までの距離Ｌ２３、底面５３ａから第２チャンネル５５ｂの他端までの距離Ｌ２４、底面５３ａから第３チャンネル５５ｃの一端までの距離Ｌ２５、底面５３ａから第３チャンネル５５ｃの他端までの距離Ｌ２６は、それぞれ以下のように設定されている。
Ｌ２１：６．１６（ｍｍ）、Ｌ２２：７．５６（ｍｍ）、Ｌ２３：９．７１（ｍｍ）、Ｌ２４：１１．１１（ｍｍ）、Ｌ２５：１３．０１（ｍｍ）、Ｌ２６：１４．４１（ｍｍ）
【００９３】
（制御回路の構成）
図１３は、図９に示す磁気情報読取装置５１の制御回路６３の概略構成を説明するためのブロック図である。図１４は、図１３に示すＣＰＵ６４での復号データの有効判定制御のフローの一例を示すフローチャートである。なお、図１３では、磁気ヘッド５５による磁気データの読取制御に関連する構成が図示されている。
【００９４】
カードリーダ５１は、磁気ヘッド５５で読み取られた磁気データを復調し、復号するための制御回路６３を備えている。図１３に示すように、制御回路６３には、磁気ヘッド５５が接続されている。具体的には、制御回路６３には、磁気ヘッド５５の第１チャンネル５５ａ、第２チャンネル５５ｂおよび第３チャンネル５５ｃが並列に接続されている。
【００９５】
制御回路６３は、演算回路としてのＣＰＵ６４を備えている。また、制御回路６３は、第１チャンネル５５ａで読み取られた磁気データを処理するための回路として、２１０ｂｐｉ用の増幅回路６５と、２１０ｂｐｉ用のフィルタ回路６６と、２１０ｂｐｉ用の微分回路６７と、復調用信号生成回路６８と、第１トラック復調データ生成回路６９とを備えている。また、制御回路６３は、第３チャンネル５５ｃで読み取られた磁気データを処理するための回路として、２１０ｂｐｉ用の増幅回路６５と、２１０ｂｐｉ用のフィルタ回路６６と、２１０ｂｐｉ用の微分回路６７と、復調用信号生成回路６８と、第３トラック復調データ生成回路７０とを備えている。さらに、制御回路６３は、第２チャンネル５５ｂで読み取られた磁気データを処理するための回路として、７５ｂｐｉの磁気データを処理するための処理回路７２（以下、第１処理回路７２とする。）と、２１０ｂｐｉの磁気データを処理するための処理回路７３（以下、第２処理回路７３とする。）と、第２トラック復調データ生成回路７４と、第４トラック復調データ生成回路７５とを備えている。
【００９６】
第１処理回路７２と第２処理回路７３とは、第２チャンネル５５ｂに並列に接続されている。第１処理回路７２は、７５ｂｐｉ用の増幅回路７６と、７５ｂｐｉ用のフィルタ回路７７と、７５ｂｐｉ用の微分回路７８と、復調用信号生成回路６８とを備えている。第２処理回路７３は、２１０ｂｐｉ用の増幅回路７９と、２１０ｂｐｉ用のフィルタ回路６６と、２１０ｂｐｉ用の微分回路６７と、復調用信号生成回路６８とを備えている。
【００９７】
増幅回路６５は、第１チャンネル５５ａおよび第３チャンネル５５ｃのそれぞれに接続されており、第１チャンネル５５ａおよび第３チャンネル５５ｃからの出力信号を増幅する。増幅回路７６および増幅回路７９は、第２チャンネル５５ｂに並列に接続されており、第２チャンネル５５ｂからの出力信号を増幅する。
【００９８】
フィルタ回路６６は、増幅回路６５、７９の出力側に接続されており、増幅回路６５、７９からの出力信号の所定の周波数成分を除去する。フィルタ回路７７は、増幅回路７６の出力側に接続されており、増幅回路７６からの出力信号の所定の周波数成分を除去する。具体的には、フィルタ回路６６、７７は、いわゆるローパスフィルタであり、所定の周波数以上の周波数成分を除去する。微分回路６７、７８は、フィルタ回路６６、７７に接続されており、フィルタ回路６６、７７からの出力信号を微分する。
【００９９】
復調用信号生成回路６８は、微分回路６７、７８の出力側に接続されている。この復調用信号生成回路６８は、微分回路６７、７８からの出力信号に基づいて磁気データ復調用の矩形波状の復調用信号を生成する。
【０１００】
第１トラック復調データ生成回路６９、第２トラック復調データ生成回路７４、第３トラック復調データ生成回路７０および第４トラック復調データ生成回路７５は、復調用信号生成回路６８の出力側に接続されている。第１トラック復調データ生成回路６９は、復調用信号生成回路６８から出力される復調用信号に基づいて、第１チャンネル５５ａで読み取られる磁気データに対応する復調データを生成し、第３トラック復調データ生成回路７０は、復調用信号生成回路６８から出力される復調用信号に基づいて、第３チャンネル５５ｃで読み取られる磁気データに対応する復調データを生成する。また、第２トラック復調データ生成回路７４および第４トラック復調データ生成回路７５は、復調用信号生成回路６８から出力される復調用信号に基づいて、第２チャンネル５５ｂで読み取られる磁気データに対応する復調データを生成する。
【０１０１】
ＣＰＵ６４は、第１トラック復調データ生成回路６９、第２トラック復調データ生成回路７４、第３トラック復調データ生成回路７０および第４トラック復調データ生成回路７５の出力側に接続されている。ＣＰＵ６４は、第１トラック復調データ生成回路６９、第２トラック復調データ生成回路７４、第３トラック復調データ生成回路７０および第４トラック復調データ生成回路７５から入力される復調データに基づいて、復号データを生成する。
【０１０２】
上述のように、本形態では、カード２の一端部２ｊをカード通過路５３の底面５３ａに押し付けながら、カード２の裏面２ａと磁気ヘッド５５とが当接するようにカード２を移動させると、第２トラック２ｆに記録された磁気データが第２チャンネル５５ｂによって読み取られ、カード２の一端部２ｊを底面５３ａに押し付けながら、カード２の表面２ｂと磁気ヘッド５５とが当接するようにカード２を移動させると、磁気ストライプ２ｄに記録された磁気データが第２チャンネル５５ｂによって読み取られる。すなわち、本形態では、第２チャンネル５５ｂによって、７５ｂｐｉの磁気データまたは２１０ｂｐｉの磁気データのいずれかが読み取られる。
【０１０３】
また、第２トラック２ｆに記録された７５ｂｐｉの磁気データが第２チャンネル５５ｂによって読み取られた場合には、ＣＰＵ６４は、第２トラック復調データ生成回路７４から入力される復調データに基づいて、適切な復号データを生成することは可能であるが、第４トラック復調データ生成回路７５から入力される復調データに基づいて、適切な復号データを生成することができない。一方、第４トラック２ｈに記録された２１０ｂｐｉの磁気データが第２チャンネル５５ｂによって読み取られた場合には、ＣＰＵ６４は、第４トラック復調データ生成回路７５から入力される復調データに基づいて、適切な復号データを生成することは可能であるが、第２トラック復調データ生成回路７４から入力される復調データに基づいて、適切な復号データを生成することができない。
【０１０４】
本形態では、このことを利用して、ＣＰＵ６４は、第２チャンネル５５ｂで読み取られた磁気データが第２トラック２ｆに記録された磁気データであるのか、あるいは、第４トラック２ｈに記録された磁気データであるのかを判別する。すなわち、ＣＰＵ６４は、第２トラック復調データ生成回路７４から入力される信号に基づく復号データが有効であるのか、あるいは、第４トラック復調データ生成回路７５から入力される信号に基づく復号データが有効であるのかを判別する。
【０１０５】
具体的には、図１４に示すフローのように、ＣＰＵ６４は、まず、７５ｂｐｉの磁気データを復号できるか否か判断する（ステップＳ１）。すなわち、ＣＰＵ６４は、第２トラック復調データ生成回路７４から入力される復調データに基づいて、適切な復号データを生成することができたか否かを判断する。ステップＳ１で、７５ｂｐｉの磁気データを復号できる場合には、ＣＰＵ６４は、第２トラック復調データ生成回路７４から入力される信号に基づく復号データが有効であると判別する（ステップＳ２）。すなわち、ＣＰＵ６４は、第２チャンネル５５ｂで読み取られた磁気データが第２トラック２ｆに記録された磁気データであると判別する。
【０１０６】
一方、ステップＳ１で、７５ｂｐｉの磁気データを復号できない場合には、ＣＰＵ６４は、２１０ｂｐｉの磁気データを復号できるか否か判断する（ステップＳ３）。すなわち、ＣＰＵ６４は、第４トラック復調データ生成回路７５から入力される復調データに基づいて、適切な復号データを生成することができたか否かを判断する。ステップＳ３で、２１０ｂｐｉの磁気データを復号できる場合には、ＣＰＵ６４は、第４トラック復調データ生成回路７５から入力される信号に基づく復号データが有効であると判別する（ステップＳ４）。すなわち、ＣＰＵ６４は、第２チャンネル５５ｂで読み取られた磁気データが第４トラック２ｈに記録された磁気データであると判別する。
【０１０７】
なお、ステップＳ３で、２１０ｂｐｉの磁気データを復号できない場合には、ＣＰＵ６４は、第２チャンネル５５ｂで読み取られた磁気データが、第２トラック２ｆに記録された磁気データまたは第４トラック２ｈに記録された磁気データのいずれでもなく、無効であると判別する（ステップＳ５）。
【０１０８】
また、ＣＰＵ６４は、ステップＳ２またはステップＳ４で有効であると判別された復号データを用いて、その後、所定の処理を行う。また、磁気ヘッド５５で読み取られる磁気データが磁気ストライプ２ｃの磁気データである場合には、ＣＰＵ６４は、第１トラック復調データ生成回路６９から入力される復調データに基づく復号データと、第３トラック復調データ生成回路７０から入力される復調データに基づく復号データとを利用して、所定の処理を行う。
【０１０９】
（本形態の主な効果）
以上説明したように、本形態では、磁気ヘッド５５の第２チャンネル５５ｂは、２１０ｂｐｉと７５ｂｐｉの２種類の記録密度の読取が可能となるように構成されている。また、本形態では、制御回路６３は、第２チャンネル５５ｂで読み取られた磁気データを処理するための回路として、７５ｂｐｉの磁気データを処理するための第１処理回路７２と、２１０ｂｐｉの磁気データを処理するための第２処理回路７３とを備え、第１処理回路７２および第２処理回路７３は、第２チャンネル５５ｂに並列に接続されている。
【０１１０】
そのため、本形態では、カード２の一端部２ｊをカード通過路５３の底面５３ａに押し付けながら、カード２の裏面２ａと磁気ヘッド５５とが当接するようにカード２を移動させると、第２トラック２ｆに記録された７５ｂｐｉの磁気データを第２チャンネル５５ｂで読み取って、制御回路６３で復調、復号することができ、また、カード２の一端部２ｊを底面５３ａに押し付けながら、カード２の表面２ｂと磁気ヘッド５５とが当接するようにカード２を移動させると、磁気ストライプ２ｄに記録された２１０ｂｐｉの磁気データを第２チャンネル５５ｂで読み取って、制御回路６３で復調、復号することができる。
【０１１１】
すなわち、本形態では、カード２の厚さ方向から見たときに、７５ｂｐｉの磁気データが記録される第２トラック２ｆと２１０ｂｐｉの磁気データが記録される第４トラック２ｈとが表裏で重なる位置に配置されていても、カード２の一端部２ｊが底面５３ａに当接するように、ユーザがカード２を裏返して移動させることで、裏面２ａの第２トラック２ｆの磁気データおよび表面２ｂの第４トラック２ｈの磁気データの両データを１個の磁気ヘッド５５で読み取って、制御回路６３で復調し、復号することができる。すなわち、本形態では、比較的簡易な構成で、このようなカード２の、裏面２ａの磁気ストライプ２ｃの磁気データおよび表面２ｂの磁気ストライプ２ｄの磁気データの両データを復調し、復号することができる。
【０１１２】
また、本形態では、第２トラック２ｆの磁気データおよび第４トラック２ｈの磁気データの両データを１個の磁気ヘッド５５で読み取って、制御回路６３で復調し、復号することができるため、磁気ヘッド５５と対向するようにスキャナ５６を配置することができる。したがって、本形態では、カード２の磁気データを読み取るとともに、カード２の画像を取得することができる。
【０１１３】
本形態では、第１処理回路７２は、７５ｂｐｉ用の増幅回路７６と、７５ｂｐｉ用のフィルタ回路７７と、７５ｂｐｉ用の微分回路７８と、復調用信号生成回路６８とを備え、第２処理回路７３は、２１０ｂｐｉ用の増幅回路７９と、２１０ｂｐｉ用のフィルタ回路６６と、２１０ｂｐｉ用の微分回路６７と、復調用信号生成回路６８とを備えている。そのため、２個の復調用信号生成回路６８から第２トラック復調データ生成回路７４または第４トラック復調データ生成回路７５を介してＣＰＵ６４に２種類の復調データを同時に入力することができる。したがって、磁気データを復号する際のＣＰＵ６４の処理時間を短縮することが可能になる。
【０１１４】
（実施の形態３の変形例）
実施の形態３では、制御回路６３は、ＣＰＵ６４に加え、第１トラック復調データ生成回路６９、第２トラック復調データ生成回路７４、第３トラック復調データ生成回路７０および第４トラック復調データ生成回路７５を備えている。この他にもたとえば、制御回路６３は、第１トラック復調データ生成回路６９、第２トラック復調データ生成回路７４、第３トラック復調データ生成回路７０および第４トラック復調データ生成回路７５を備えていなくても良い。この場合には、復調用信号生成回路６８からの入力される復調用信号に基づいて、ＣＰＵ６４が復調データを生成し、また、生成された復調データに基づいてＣＰＵ６４が復号データを生成する。また、この場合には、ＣＰＵ６４は、２個の復調用信号生成回路６８のうちのどちらの復調用信号生成回路６８から入力される信号に基づく復号データが有効であるのかを判別する。
【０１１５】
実施の形態３では、磁気ヘッド５５の第２チャンネル５５ｂは、２１０ｂｐｉと７５ｂｐｉの２種類の記録密度の磁気データの読取が可能となるように構成され、第１処理回路７２は、７５ｂｐｉ用の増幅回路７６、フィルタ回路７７および微分回路７８を備え、第２処理回路７３は、２１０ｂｐｉ用の増幅回路７９、フィルタ回路６６および微分回路６７を備えている。この他にもたとえば、第２チャンネル５５ｂは、２１０ｂｐｉおよび／または７５ｂｐｉ以外の２種類の記録密度の磁気データの読取が可能となるように構成され、第１処理回路７２および第２処理回路７３は、第２チャンネル５５ｂで読取可能な記録密度の磁気データを処理できる増幅回路、フィルタ回路および微分回路を備えていても良い。
【０１１６】
また、第２チャンネル５５ｂは、３種類以上の記録密度の磁気データの読取が可能となるように構成され、第２チャンネル５５ｂに、３種類以上の記録密度の磁気データをそれぞれ処理するための３個以上の処理回路が並列に接続されても良い。また、第１チャンネル５５ａおよび／または第３チャンネル５５ｃが、２種類以上の記録密度の磁気データの読取が可能となるように構成され、第１チャンネル５５ａおよび／または第３チャンネル５５ｃに、２種類以上の記録密度の磁気データをそれぞれ処理するための２個以上の処理回路が並列に接続されても良い。
【０１１７】
［他の実施の形態］
上述した形態は、本発明の好適な形態の一例ではあるが、これに限定されるものではなく本発明の要旨を変更しない範囲において種々変形実施が可能である。
【０１１８】
実施の形態１では、搬送機構５を備えるカード搬送式のカードリーダ１に制御回路２３が使用されているが、制御回路２３は、手動式のカードリーダに使用されても良い。この場合には、カードリーダは、実施の形態３と同様にスワイプ式のカードリーダであっても良いし、いわゆるディップ式のカードリーダであっても良い。また、この場合には、カード２が所定の距離移動する間の復調用信号の磁気反転数に基づいて、ＣＰＵ２４が磁気データの記録密度を判別すれば良い。
【０１１９】
実施の形態３では、スワイプ式のカードリーダ５１に制御回路６３が使用されているが、制御回路６３は、ディップ式のカードリーダに使用されても良い。また、制御回路６３は、カード搬送式のカードリーダに使用されても良い。
【０１２０】
上述した形態では、カードリーダ１、５１は、塩化ビニール製のカード２、ＰＥＴ製のカード２あるいは紙製のカード２等を取り扱うためのカード用のカードリーダである。この他にもたとえば、本発明の構成が適用される磁気情報読取装置は、パスポート等の磁気情報記録媒体を取り扱うための磁気情報読取装置であっても良い。
【符号の説明】
【０１２１】
２  カード（磁気情報記録媒体）
２ａ  裏面
２ｂ  表面
２ｃ、２ｄ  磁気ストライプ
２ｅ  第１トラック
２ｆ  第２トラック
２ｇ  第３トラック
２ｈ  第４トラック
２ｊ  一端部
５１  カードリーダ（磁気情報読取装置）
５５  磁気ヘッド
５５ｂ  第２チャンネル（チャンネル）
５６  スキャナ（画像読取手段）
６３  制御回路
６４  ＣＰＵ（演算回路）
６６、７７  フィルタ回路
６７、７８  微分回路
６８  復調用信号生成回路
７２  第１処理回路（処理回路）
７３  第２処理回路（処理回路）
７６、７９  増幅回路
Ｘ  磁気情報記録媒体の長手方向
Ｘ１  磁気情報記録媒体の挿入方向
Ｙ  磁気情報記録媒体の短手方向
Ｚ  磁気情報記録媒体の厚さ方向
【図１】
2014063562.tif 000003
【図２】
2014063562.tif 000004
【図３】
2014063562.tif 000005
【図４】
2014063562.tif 000006
【図５】
2014063562.tif 000007
【図６】
2014063562.tif 000008
【図７】
2014063562.tif 000009
【図８】
2014063562.tif 000010
【図９】
2014063562.tif 000011
【図１０】
2014063562.tif 000012
【図１１】
2014063562.tif 000013
【図１２】
2014063562.tif 000014
【図１３】
2014063562.tif 000015
【図１４】
2014063562.tif 000016